(57)【特許請求の範囲】
【請求項１】
現用回線に現用送信部及び現用受信部が各々接続された複数の現用システムと、予備回線に予備用送信部及び予備用受信部が接続された予備システムとからなり、所定の現用システムを予備システムに切り替えるＳＤＨ伝送システムにおいて、
各現用システム毎に回線識別コードを設定し、
所定の現用システムを前記予備システムに切り替えた場合に、前記予備用送信部で、入力された信号に対して前記所定の現用システムに対応する回線識別コードを付し、前記予備回線を介して前記予備用受信部に送信し、
前記予備用受信部で、前記予備用送信部から受信した信号から前記回線識別コードを分離し、前記受信した信号と前記回線識別コードとを前記複数の現用受信部に各々送信し、
前記複数の現用受信部で、前記予備用受信部から受信した前記回線識別コードと、当該現用受信部に設定された回線識別コードとを比較し、一致した場合に前記受信した前記信号を出力することを特徴とするＳＤＨ伝送システムにおける回線切替方法。
【請求項２】
前記回線識別コードをセクションオーバヘッドの未使用バイトまたは未定義バイトに挿入することを特徴とする請求項１記載のＳＤＨ伝送システムにおける回線切替方法。
【請求項３】
当該回線と異なる回線の回線識別コードを示す信号が伝送された場合に、伝送された該信号に警報表示信号を挿入することを特徴とする請求項１又は２記載のＳＤＨ伝送システムにおける回線切替方法。
【発明の詳細な説明】
【０００１】
【発明の属する技術分野】
本発明は、ＳＤＨ（同期デジタルハイアラーキ）伝送システムにおける回線切替方法に関する。
【０００２】
【従来の技術】
従来のＳＤＨ伝送システムの回線切替装置の構成例を図３に示す。尚、説明の便宜上、同図には、Ａ局側には送端部のみを、Ｂ局側には受端部のみを示す。
【０００３】
この回線切替装置は、現用回線Ｎ回線と、予備回線１回線の（１＋Ｎ）回線の回線を切り替えるために備えられ、回線監視装置１Ａと１Ｂとを組み合わせて構成される。回線監視装置１Ａ及び１Ｂは、各々の回線の回線情報及び切替制御を行う。尚、各システムにおける同一回線は同一の機能を有しているので、以下の現用回線の説明については、現用システム１を例にとって説明する。
【０００４】
現用回線１は、送端符号処理部２０１と、受端符号処理部３０１と、AIS INS部４０１と、受端信号切替部６０１と、論理和回路７０１とで構成される。送端部については、送端符号処理部２０１において、ＳＤＨフレームの生成、及びＯＨ（オーバヘッド）の挿入が行われ、現用回線１に送出される。また、受端部については、受端符号処理部３０１において、フレーム同期をとってＯＨを分離し、AIS INS部４０１に送出する。
【０００５】
AIS INS部４０１は、ＡＩＳ(ALM Indicate Signal、警報表示信号)挿入機能を有し、受端信号処理部３０１で検出された故障によって断検出信号が送出された場合に、主信号にＡＩＳを挿入して受端信号切替部６０１に送出する。
【０００６】
受端信号切替部６０１は、信号の切替機能を有し、現用回線側の信号と予備回線側の信号とを切り替える。切替制御は、回線監視装置１Ｂより、受端信号分配部５００を介して行われ、切替制御指示に従って信号を出力する。
【０００７】
また、受端信号切替部６０１への切替制御は、上述のように自動で行われる以外に、回線監視装置の故障等により、自動回線切替が不能になった場合にも、切替を行えるように各現用システムに強制スイッチを設けてあり、論理和回路７０１において、受端信号分配部５００からの制御と、この強制スイッチの制御が論理和され、強制制御でも切替が可能となっている。
【０００８】
予備回線は、送端符号処理部２００と、受端符号処理部３００と、AIS INS部４００と、送端信号切替部１００と、受端信号切替部５００とで構成される。
【０００９】
送端信号切替部１００において、各現用システムから分岐された信号を回線監視装置１Ａからの制御指示により選択し、送端符号処理部２００に送出する。その後、信号は、送端処理部２００から受端符号処理部３００、AIS INS部４００を介して受端信号分配部５００に送出される。この点は、現用システムと同一動作で処理される。
【００１０】
AIS INS部４００より送出された予備回線信号は、受端信号分配部５００において、各現用システムの受端信号切替部（例えば、現用システム１であれば受端信号切替部６０１）に分配される。その後、信号は、受端信号切替部で現用システムの説明と同様に動作し、切替が終了する。
【００１１】
上述のように、回線切替装置の受端部では、各システムに構成されているAIS INS部において、対向局からの入力信号が故障や断等による異常状態の時に、後段のシステムに不明な（信頼度の低い）データを送出しない様にＡＩＳの挿入を行っている。
【００１２】
一方、従来、ＳＤＨ伝送システムに関し、未使用バイトまたは未定義バイトを使用した技術が種々提案されている。
【００１３】
例えば、特開平１１−２８４５９１号公報には、ＳＤＨ伝送システムの監視信号伝送方法に関し、Ｅ１、Ｅ２バイトによる音声信号の転送以外に、未定義バイトＺ１バイトを使用して画像信号を転送することで、迅速な復旧作業を可能とした技術が開示されている。
【００１４】
また、特開平１０−１４５３２１号公報に記載のＳＤＨ伝送システム及びアラーム伝送制御方法では、複数のネットワーク装置でのアラーム伝送制御方法において、未定義バイトを使用し、既存のデータ通信チャンネル以外にアラームの重要度をネットワーク管理装置に伝送し、これにより、緊急度の高いアラームを優先的にネットワーク管理装置に転送でき、ひいては、アラームの発生をネットワーク管理者に、短時間で通知可能としている。
【００１５】
さらに、特開平１０−１６４１１０号公報に記載の打ち合わせ用音声信号送受信方法では、複数の局がＳＤＨを使用した０／１系伝送路によってループ状に構成された伝送装置において、各局の打ち合わせ用音声信号を、各局に割り当てられた未使用バイトに挿入して転送することで、一方の伝送路に障害が発生しても、他方の伝送路を用いて全ての局で通話を可能としている。
【００１６】
また、特開平９−２７５３８３号公報には、ＳＤＨ無線伝送システムにおいて、ＳＯＨ（セクションオーバヘッド）の未定義バイトを使用して補助信号を伝送することにより、補助信号用の無線オーバヘッドを生成しなくて済み、占有帯域の拡大を防いで伝送効率を向上させた技術が開示されている。
【００１７】
さらに、特開平５−３１６１３３号公報に記載の技術は、データ通信チャンネル（ＤＣＣ）により、アラーム情報等を収集してリングネットワークを遠隔集中監視する監視制御方式に関し、回線断を検出した時に、未使用バイトを使用してリング内の各ノードのサービスを変更し、データ通信チャンネルのルートを自動的に再設定させることで、遠隔集中監視を可能としている。
【００１８】
また、特開平５−５６０２３号公報に記載のデータ伝送方式は、一台の親局装置とＮ台の子局装置がループ状に接続したループネットワークにおけるデータ伝送方式において、ＳＯＨの予備バイトＺ１にマルチフレーム識別信号を挿入することで、ＳＴＭ−１フレームフォーマットの複数フレーム単位での処理を可能にしている。
【００１９】
【発明が解決しようとする課題】
しかし、図３に示した従来の回線切替装置においては、各回線間の接続を誤った場合でも、通過している信号が異なる回線の信号であるだけで、受端側では、故障や入力断等が検出されず、誤接続を認識できない。その結果、異常状態を検出できずに、誤った回線の信号にも拘わらず、ＡＩＳ挿入機能が働かず、入力された信号をそのまま後段システムに送出し、後段システムでは異なる回線の信号を受信することになるという問題があった。
【００２０】
例えば、現用システム２の送端出力を現用システム１の受端入力に誤接続した場合でも、受端符号処理部３０１では、入力信号が存在しないわけではないので、入力断等が検出されず、また、回線認識の機能がないため、そのまま、受端信号切替部６０１を介して現用システム１の信号を出力し、本来、現用システム１の信号を送出すべき出力に現用システム２の信号を出力してしまうため、後段のシステムでは、異なるシステムの回線を受信し、情報が漏洩するという問題があった。
【００２１】
また、回線切替は、予備回線に迂回させる該当の現用システムの送端側と受端側とで、同一のシステムが切替制御されることを前提としているが、誤操作により、該当システム以外のシステムの受端側の強制切替スイッチが制御された場合には、そのシステムは、異なるシステムの回線情報を後段システムに送出してしまい、情報が漏洩するという問題があった。
【００２２】
例えば、現用システム１の回線切替が行われている状態（現用システムの信号が予備システム及び予備回線を迂回している）の時、現用システム１の受端信号切替部６０１は、受端信号分配部５００側からの信号を選択して出力している。また、現用システム２の受端信号切替部６０２の予備側入力にも、同一の現用システム１の信号が入力されている。この時、誤操作により、現用システム２の強制制御が動作した場合、受端信号切替部６０２は、受端信号分配部５００からの信号（今は現用システム１の信号が入力されている）を選択する。その結果、受端信号切替部６０２は、現用システム１の信号を出力することになり、本来、現用システム２の信号を送出すべき出力に現用システム１の信号を出力してしまうという問題が発生する。また、その後段のシステムは、異なる回線の信号を受信するため、情報が漏洩するという問題があった。
【００２３】
一方、上記各特許公報に記載された技術は、未使用バイトまたは、未定義バイトを使用した技術であるが、いずれの技術においても、情報の漏洩を防止するために使用されておらず、上記問題を解決することはできない。
【００２４】
そこで、本発明は上記従来の回線切替装置における問題点に鑑みてなされたものであって、ＳＤＨ伝送システムにおける回線の誤接続や誤操作による別回線への情報の漏洩を防止することを主な目的とする。本発明は、上記に加え、ＳＤＨ伝送システムにおいて、回線の誤接続を検出することを目的とする。
【００２５】
【課題を解決するための手段】
上記目的を達成するため、請求項１記載の発明は、現用回線に現用送信部及び現用受信部が各々接続された複数の現用システムと、予備回線に予備用送信部及び予備用受信部が接続された予備システムとからなり、所定の現用システムを予備システムに切り替えるＳＤＨ伝送システムにおいて、各現用システム毎に回線識別コードを設定し、所定の現用システムを前記予備システムに切り替えた場合に、前記予備用送信部で、入力された信号に対して前記所定の現用システムに対応する回線識別コードを付し、前記予備回線を介して前記予備用受信部に送信し、前記予備用受信部で、前記予備用送信部から受信した信号から前記回線識別コードを分離し、前記受信した信号と前記回線識別コードとを前記複数の現用受信部に各々送信し、前記複数の現用受信部で、前記予備用受信部から受信した前記回線識別コードと、当該現用受信部に設定された回線識別コードとを比較し、一致した場合に前記受信した前記信号を出力することを特徴とする。
【００２８】
請求項１記載の発明によれば、予備回線へ迂回する信号に回線識別コードを挿入して伝送し、受端側にて各現用回線で迂回してくる予備回線の信号と回線識別コードを比較し、切替該当のシステムか否かを判断することができるため、誤操作による他回線の情報の漏洩を防止することができる。
【００２９】
請求項２記載の発明は、請求項１記載のＳＤＨ伝送システムにおける回線切替方法の好ましい一形態として、前記回線識別コードをセクションオーバヘッドの未使用バイトまたは未定義バイトに挿入したことを特徴とする。
【００３０】
また、請求項３記載の発明は、上記ＳＤＨ伝送システムにおける回線切替方法の好ましい一形態として、当該回線と異なる回線の回線識別コードを示す信号が伝送された場合に、伝送された該信号に警報表示信号を挿入することを特徴とする。
【００３１】
【発明の実施の形態】
次に、本発明にかかるＳＤＨ伝送システムにおける回線切替方法の実施の形態の具体例を図面を参照しながら説明する。
【００３２】
図１は、本発明にかかる回線切替方法を適用した装置の一実施例を示す。尚、図３の従来例で説明した構成要素と同一の参照番号を付した構成要素については、従来例と同様の機能を有する。また、各現用システムは、各々同一構成のため、以下、現用システム１の構成を例にとって説明する。
【００３３】
現用回線１は、送端部に、送端符号処理部２０１、受端部に、受端符号処理部３０１と、受端信号切替部６０１と、比較回路９０１、９０３と、AIS INS回路４０１、４０３と、論理和回路７０１、８０１、８０３とを備える。
【００３４】
送端符号処理部２０１は、従来例と同様、ＯＨ挿入機能を有するが、このＯＨ挿入機能を使用して、回線毎に設定される回線識別コード（以下「ＩＤ」という）を挿入するように構成される。
【００３５】
比較回路は、回線識別コードの一致・不一致を比較し、判定結果を出力する機能を有する。この比較回路９０１は、現用システム用に設けられた回路で、受端符号処理部３０１で分離されたＩＤ値と自システムに設定されているＩＤの比較を行い、一致・不一致を判定信号として論理和回路８０１に送出する。また、比較回路９０３は、予備システム用に設けられた回路で、受端符号処理部３００で分離されたＩＤ値と自システムに設定されているＩＤの比較を行い、一致・不一致を判定信号として論理和回路８０３に送出する。
【００３６】
論理和回路は、論理和機能を有する回路である。論理和回路８０１は、現用システム用に設けられた回路で、比較回路９０１からの判定信号と受端符号処理部３０１から送出される断検出信号の論理和をとり、AIS INS回路４０１にＡＩＳ制御信号を送出する。また、論理和回路８０３は、予備システム用に設けられた回路で、比較回路９０３からの判定信号と受端符号処理部３００から送出される断検出信号の論理和をとり、AIS INS回路４０３にＡＩＳ制御信号を送出する。
【００３７】
AIS INS部４０１は、従来例と同一の機能を有し、受端信号切替部６０１の入力側に配置され、AIS INS部４０３は、受端信号切替部６０１の予備システム側の入力側に配置される。
【００３８】
その他の受端符号処理部３０１、論理和回路７０１及び受端信号切替部６０１は、従来例と同一構成である。
【００３９】
予備回線は、送端符号処理部２００と、受端符号処理部３００と、送端信号制御切替部１０１と、受端信号分配部５００とで構成される。
【００４０】
送端信号制御切替部１０１は、従来例の送端信号切替部１００の機能に、ＩＤ値を送出する機能を追加したものである。ＩＤ値は、各現用システムで設定されたＩＤ値が信号と同様に送端信号制御切替部１０１に送出されており、送端信号制御切替部１０１では、回線監視装置１Ａから切替の制御を受けたシステムと同一のシステムのＩＤを送端符号処理部２００に送出する。
【００４１】
次に、上記構成を有する回線切替装置の動作について説明する。
【００４２】
まず、現用回線の動作について説明をするにあたり、各回線のＩＤ値が、現用システム１のＩＤ値＝１、現用システム２のＩＤ値＝２と設定された場合を例にとって、図２の現用システムの構成例を用いて説明する。尚、図２は、現用システムと予備システムが同様に構成された場合の構成例であって、図１に示す本発明の実施例と構成が異なるが、現用システムの構成の説明の便宜上、図２の構成例を使用する。
また、本説明では、ＩＤ値の伝送を未定義バイトＺ１で行う場合を例に説明する。
【００４３】
現用システム１では、送端符号処理部２０１において、設定されたＩＤ値＝１を未定義バイトＺ１に挿入（Ｚ１＝１）し、受端部に送出する。現用システム２でも同様にＩＤ値＝２をＺ１＝２に挿入して、受端部に送出する。
【００４４】
受端符号処理部３０１では、伝送されてきた未定義バイトＺ１を分離し、比較回路９０１に送出する。比較回路９０１では、自システムに設定されているＩＤ値（ＩＤ＝１）と、受端符号処理部３０１より送出されてくるＺ１の値（Ｚ１＝１）とを比較する。ここでは、Ｚ１＝１とＩＤ＝１の値が一致しているため、AIS INS部４０１でのＡＩＳの挿入は行われず、従来例と同様に、信号は、AIS INS部４０１から受端信号切替部６０１を介して出力される。
【００４５】
ＡＩＳが挿入されるのは、従来例と同様に、受端符号処理部３０１において故障を検出した場合のみであって、その動作は、受端符号処理部３０１からの断検出信号が、論理和回路８０１を介して、ＡＩＳ制御信号としてAIS INS部４０１に送信され、ＡＩＳ制御を受けたAIS INS部４０１において、信号にＡＩＳが挿入され、受端信号切替部６０１を介して出力される。現用システム２においても同様の動作となる。
【００４６】
ここで、接続誤りがあった場合の動作を説明する。現用システム２の送端出力を現用システム１の受端入力に、また、現用システム１の送端出力を現用システム２の受端入力に、各々接続誤りをした場合を例にとって動作を説明する。
【００４７】
現用システム２の送端出力信号は、現用システム２の送端符号処理部２０２において、Ｚ１に固定のＩＤ値２が挿入された信号（Ｚ１＝２）が出力されている。この出力信号の接続先となった現用システム１の受端側では、受端符号処理部３０１にてＺ１＝２が分離され、比較回路９０１に入力される。
【００４８】
比較回路９０１は、自システムのＩＤ値＝１と分離されたＺ１＝２を比較するが、不一致のため、比較信号を不一致として論理和回路８０１に出力する。この情報は論理和回路８０１を介して、AIS INS部４０１にＡＩＳ制御信号として制御され、信号にＡＩＳが挿入される。従って、現用システム１において、AIS INS部４０１以降の回路には、ＡＩＳが挿入された信号が通過することとなり、現用システム２の情報は、現用システム１の後段システムには漏洩しない。
【００４９】
また、現用システム２においても、同様に、比較回路９０２にて、受端符号処理部３０２で分離されたＺ１＝１と設定された固定ＩＤ値＝２を比較し、不一致のため、AIS INS部４０２でＡＩＳが挿入され、以降の回路および、後段のシステムには、ＡＩＳが挿入された信号が出力され、現用システム１の情報は漏洩しない。
【００５０】
このように、比較回路においてＩＤ値の比較を行い、不一致の場合には、ＡＩＳ挿入が制御されるため、後段に異なったシステムの信号が漏洩することを防止できる。
【００５１】
次に、現用システム１が切り替えられた場合を例にとって予備回線システムに関して説明する。
【００５２】
ＩＤ値は、前記のように、現用回線の説明例と同様に、現用システム１のＩＤ値＝１、現用システム２のＩＤ値＝２が使用され、予備回線にはＩＤ値＝０が割り当てられたとする。前述のように、図２は、予備システムの構成を現用システムと同様に構成した場合の例である。
【００５３】
送端信号切替部１００は、現用システム１からの信号を出力するように回線監視装置１Ａから制御され、現用システム１の信号を送端符号処理部２００に送出する。送端符号処理部２００では、固定ＩＤ値＝０をＺ１に挿入して、受端側に送出する。
【００５４】
受端符号処理部３００では、伝送されてきた未定義バイトＺ１（Ｚ１＝０）を分離し、比較回路９００に送出する。比較回路９００では、自システムに設定されているＩＤ値（ＩＤ＝０）と、受端符号処理部３００より送出されてくるＺ１の値（Ｚ１＝０）を比較する。ここでは、Ｚ１＝０とＩＤ＝０の値が一致しているため、AIS INS部４００でのＡＩＳ挿入は行われず、信号はAIS INS部４０１から受端信号分配部５００を介して現用システム１の受端信号切替部６０１に送出される。
【００５５】
受端信号切替部６０１では、回線監視装置１Ｂから受端信号分配部５００を介して制御されて予備システム側の信号を選択して出力する。現用システム１の信号は、このように予備回線を迂回して後段システムに出力される。
【００５６】
この状態で、ＡＩＳが挿入されるのは、従来例や現用システムと同様に、受端符号処理部３００にて故障を検出した場合のみで、その動作は、受端符号処理部３００からの断検出信号が、論理和回路８００を介してＡＩＳ制御信号としてAIS INS部４００に送信され、ＡＩＳ制御を受けたAIS INS部４００で、信号にＡＩＳが挿入され、受端信号分配部５００に送出される。ＡＩＳが挿入された信号は、受端信号切替部６０１を介して後段システムに出力される。
【００５７】
ここで、現用システムと同様に誤接続された場合の動作を説明する。誤接続により、現用システム２の送端出力を予備システムの受端入力に接続した場合を例に取って説明する。
【００５８】
現用システム１の送端出力の信号は、固定ＩＤ値＝２がＺ１に挿入された信号が出力され、予備システムの受端符号処理部３００に入力される。受端符号処理部３００で分離されるＺ１は、Ｚ１＝１、受端予備システムで設定されているＩＤ＝０のため、比較回路９００において、不一致が判定され、制御信号が論理和回路８００を介してAIS INS部４００に送出され、信号はAIS INS部４００でＡＩＳを挿入され、受端信号分配部５００には、ＡＩＳが挿入された信号が出力される。
【００５９】
受端信号分配部５００では、各現用システムの受端信号切替部に信号を分配しているが、この場合、各現用システムの受端切替部にはＡＩＳが挿入された信号が分配されることとなる。従って、切替該当システムの受端信号切替部にて、本例の場合、受端信号切替部６０１にて予備回線側に切替が行われても、ＡＩＳが挿入された信号が出力されることとなる。これによって、情報が漏洩することを防止することができる。
【００６０】
次に、正常に接続されており、通常に回線切替が行われている状態で、誤操作をされた場合を例にとって動作を説明する。
【００６１】
例えば、前記と同様に、現用システム１が予備回線に切り替えられていた状態とする。この時、現用システム１の切替の動作は、前記同様に、予備システムの送端・受端でＩＤが０で一致しており、ＡＩＳが挿入されることなく、受端信号分配部５００から現用システム１の信号が、各受端信号切替部に送出されている。
【００６２】
受端信号切替部６０１では、回線監視装置１Ｂから受端信号分配部５００を介して切替制御されているため、受端信号分配部５００からの信号、つまり、現用システム１の信号を出力する。これで、現用システム１の回線切替が終了する。
【００６３】
ここまでは、通常の動作であるが、この状態で、現用システム２にて、強制制御が行われた場合（つまり、誤操作された場合）の動作を考える。
【００６４】
現用システム１の回線切替が行われている場合には、各現用システムの受端信号切替部には現用システム１の信号が入力されている。当然、現用システム２の受端信号切替部６０２の予備システム側入力には、現用システム１の信号が入力されている。
【００６５】
ここで、現用システム２において、強制制御（誤操作）が行われると、受端信号切替部６０２は、論理和回路７０１を介して制御され、予備システム側を強制的に選択することになり、出力には現用システム１の信号を出力してしまうこととなる。つまり、現用システム２の出力に現用システム１の信号が出力される。このように、誤操作によって異なる回線の情報が漏洩することになる。
【００６６】
そこで、予備システムは、現用システムと異なった構成にする必要がある。図１に現用システムと予備システムの構成が異なった本発明の構成を示す。
【００６７】
本発明の構成は、図２において予備システムに構成されている比較回路９００及び論理和回路８００と、AIS INS回路４００を各現用システムの受端信号切替部の前に構成し、送端信号切替部１００に、各現用システムからの固定ＩＤ値を受信し、回線切替装置１Ａからの制御により、該当のシステムのＩＤ値を送端符号処理部２００に送出機能を追加した送端信号制御切替部１０１を構成している。尚、現用システムにおける送端入力から受端側の受端信号切替部までの信号の動作は、今までの説明と同様である。
【００６８】
以下に、本発明の予備システムの情報の漏洩を防止した構成の動作を説明する。
【００６９】
そもそも、送端信号制御切替部１０１では、回線監視装置１Ａより切り替えるシステムを制御し、選択するため、どのシステムが切り替えられているかを認識している。そこで、送端信号制御切替部１０１では、各現用システムで設定された回線識別コード情報を収集し、回線切替装置１Ａからの切替制御に対応したシステムのＩＤ値を送端符号処理部２００に送出する。
【００７０】
例えば、今までの説明と同様のＩＤが設定されたとすると、現用システム１が切り替えられた場合、現用システム１のＩＤ値＝１を送端符号処理部２００に送出する。また、例えば、現用システム２が切り替えられた場合、ＩＤ＝２を送端符号処理部２００に送出する。
【００７１】
送端符号処理部２００では、送端信号制御切替部１０１からのＩＤ値を未使用バイトまたは未定義バイトに挿入し、受端側へ信号を送出する。受端符号処理部３００では、伝送されてきた信号の未使用バイトまたは未定義バイトからＩＤ値を分離し、各現用システムに構成されている予備回線用の比較回路に送出する。比較回路では、自システムの回線識別コードと予備システムから送出されてくるＩＤ値とを比較し、予備システム用に構成されている論理和回路を介してAIS INS回路に挿入される。各比較回路、論理和回路、AIS INS回路の動作は、前述の説明と同様に動作する。
【００７２】
以下、先程の誤操作時の説明時に例で挙げたように、現用システム１が予備回線に切り替えられている状態での動作を説明する。尚、ＩＤ値は、前述同様に現用システム１がＩＤ＝１、現用システム２がＩＤ＝２に設定されたものとする。
【００７３】
回線切替装置１Ａからの制御により、送端信号制御切替部１０１は現用システム１を選択し、送端符号処理部２００に送出すると同時に、現用システムのＩＤ値＝１も送端符号処理部２００に送出する。送端符号処理部２００は、送端信号制御切替部１０１から送られたきたＩＤ値＝１をＺ１に挿入し、受端部に送出する。受端符号処理部３００では、伝送された信号からＩＤ値の情報が挿入されているＺ１＝１を分離する。
【００７４】
現用システム１の予備回線用の比較回路９０３は、自システムのＩＤ値＝１と予備システムの受端符号処理部３００から送られてくるＺ１＝１を比較し、ＩＤ＝１とＺ１＝１の一致を検出する。ＩＤ値が一致しているため、現用システム１の予備システム用に設けられたAIS INS部４０３では、ＡＩＳを挿入することなく、受端信号切替部６０１に信号を出力する。
【００７５】
この時、現用システム２において、強制制御が行われた場合、現用システム２の予備回線用比較回路９０４では、自システムのＩＤ値＝２と予備システムの受端符号処理部３００から送られてくるＺ１＝１とを比較し、ＩＤ＝２とＺ１＝１とが不一致となり、判定信号を不一致として論理和回路８０４に送出する。AIS INS部４０４は、論理和回路８０４を介して、ＡＩＳ制御が行われ、ＡＩＳを挿入した信号が受端信号切替部６０２に送出される。受端信号切替部６０２は、予備システム側の信号を出力するが、既に、現用システム１の信号には、ＡＩＳが挿入されているため、異なる回線の情報が漏洩することはない。
【００７６】
尚、上記実施例においては、ＳＯＨの未定義バイトＺ１を使用して、回線識別コードを伝送しているが、未定義バイト以外に、未使用バイトを使用して伝送しても同様の効果が得られる。
【００７７】
【発明の効果】
以上説明したように、本発明によれば、ＳＤＨ伝送システムにおける回線の誤接続や誤操作による別回線への情報の漏洩を防止することができるとともに、回線の誤接続を検出することが可能なＳＤＨ伝送システムにおける回線切替方法を提供することができる。
【図面の簡単な説明】
【図１】本発明にかかる回線切替方法を適用した回線切替装置の一実施例を示す構成図である。
【図２】本発明にかかる回線切替方法を適用した回線切替装置の現用システムの一実施例を示す構成図である。
【図３】従来の回線切替装置の一例を示す構成図である。
【符号の説明】
１Ａ    回線監視装置（Ａ局）
１Ｂ    回線監視装置（Ｂ局）
２Ａ    Ａ局回線切替装置
２Ｂ    Ｂ局回線切替装置
１００  送端信号切替部
１０１  送端信号制御切替部
２００、２０１、２０２  送端符号処理部
３００、３０１、３０２  受端符号処理部
４００、４０１、４０２、４０３、４０４  AIS INS部
５０１  受端信号分配部
６０１、６０２  受端信号切替部
７０１、７０２  論理和回路（切替制御用）
８００、８０１、８０２、８０３、８０４  論理和回路（ＡＩＳ制御用）
９００、９０１、９０２、９０３、９０４  比較回路
【図１】
0004662652.tif 000002
【図２】
0004662652.tif 000003
【図３】
0004662652.tif 000004